(57)【要約】      （修正有）【課題】ダブルサイドテンションに係り、車載扉等の開放時の作業性の改善を図ったダブルサイドテンションを提供する。【解決手段】ライトに着脱自在なライトカバーにピンセット型の左右一対の側面視略Ｌ字状のテンション本体を取り付け、光ファイバーの一端側を前記ライトカバーに挿通し、他端側を左右のテンション本体に沿って夫々の先端側に配線したダブルサイドテンションに於て、前記ライトカバーに、可撓性を有するシャフトを介してルーペを着脱自在に取り付ける。また、可撓性を有する前記シャフトがライトの中心線に沿ってストレート状に伸長しているとき、前記ルーペのレンズ中心がテンション本体の先端より前方に配置することもできる。【選択図】図１
0003142787.tif 000002
【実用新案登録請求の範囲】
【請求項１】
ライトに着脱自在なライトカバーにピンセット型の左右一対の側面視略Ｌ字状のテンション本体を取り付け、光ファイバーの一端側を前記ライトカバーに挿通し、他端側を左右のテンション本体に沿って夫々の先端側に配線したダブルサイドテンションに於て、
前記ライトカバーに、可撓性を有するシャフトを介してルーペを着脱自在に取り付けたことを特徴とするダブルサイドテンション。
【請求項２】
可撓性を有する前記シャフトがライトの中心線に沿ってストレート状に伸長しているとき、前記ルーペのレンズ中心が、テンション本体の先端より前方に位置していることを特徴とする請求項１に記載のダブルサイドテンション。
【考案の詳細な説明】
【技術分野】
【０００１】
本考案はダブルサイドテンションに係り、詳しくは自動車のシリンダー錠のピッキングに用いるピンセット型のダブルサイドテンションに関する。
【背景技術】
【０００２】
一般に自動車のシリンダー錠は、ごみやホコリ，雨水等の浸入を防止し、また、キーコードを隠す目的で鍵穴部分をシャッターで塞いだ構造となっており、キーを差し込むとシャッターが倒れる仕組みになっている。
【０００３】
そして、従来、この種のシリンダー錠をピッキングする際に、テンションとピックが使用されるが、実際の作業ではテンションやピックに加え、ライトとレンズ付きのスポークが使用されている。
【０００４】
しかし、片手にピック、もう片方の手にテンションとライト，スポークを持っての作業は作業性が悪いということで、本出願人は特許文献１に於て、テンションとライトを一体にしたライト付きダブルサイドテンションを提案した。
【０００５】
このライト付きダブルサイドテンションは、ライトに着脱自在なライトカバーにピンセット型の左右一対の側面視略Ｌ字状のテンション本体を取り付けると共に、光ファイバーの一端側を前記ライトカバーに挿通し、他端側を左右のテンション本体に沿って夫々の先端側に配線して、光ファイバーを介して伝達されたライトの光でシリンダー錠のシリンダーの奥部を照らすことができるようにしたもので、このライト付きダブルサイドテンションによれば、テンションとライトを別々に片手で持つ必要がなくなるため、従来に比し作業性が向上することとなった。
【特許文献１】実用新案登録第３１３１０７７号公報
【考案の開示】
【考案が解決しようとする課題】
【０００６】
しかし乍ら、ピッキングの際に前記ライト付きダブルサイドテンションを用いた場合でも、依然としてこれとは別にレンズ付きのスポークを片手に持たなければならないという課題が残されているのが実情であった。
【０００７】
本考案は斯かる実情に鑑み案出されたもので、これらを組み合わせることで、更なる作業性の改善を図ったダブルサイドテンションを提供することを目的とする。
【課題を解決するための手段】
【０００８】
斯かる目的を達成するため、請求項１に係る考案は、ライトに着脱自在なライトカバーにピンセット型の左右一対の側面視略Ｌ字状のテンション本体を取り付け、光ファイバーの一端側を前記ライトカバーに挿通し、他端側を左右のテンション本体に沿って夫々の先端側に配線したダブルサイドテンションに於て、前記ライトカバーに、可撓性を有するシャフトを介してルーペを着脱自在に取り付けたことを特徴とする。
【０００９】
そして、請求項２に係る考案は、請求項１に記載のダブルサイドテンションに於て、可撓性を有する前記シャフトがライトの中心線に沿ってストレート状に伸長しているとき、前記ルーペのレンズ中心がテンション本体の先端より前方に位置していることを特徴とする。
【考案の効果】
【００１０】
請求項１に係る考案によれば、テンション本体が取り付くライトに可撓性を有するシャフトを介してルーペをフレキシブルに取り付け、ライトの光で照らされた鍵穴内をレンズを通して拡大して視認できるように構成したので、ダブルサイドテンションを持つ手で別途レンズ付きのスポークやライトを持つ必要がなくなり、従来に比し作業性が著しく向上することとなった。
【００１１】
また、請求項２に係る考案は、シャフトをライトの中心線に沿ってストレート状に伸長させたとき、ルーペのレンズ中心がテンション本体の先端より前方に位置するように設定したので、シャフトを上方へ撓ませた場合でも、また、シャフトを下方へ撓ませた場合でも、余裕をもってルーペをテンション本体の上方へ確実に配置させることができ、レンズを通してシリンダー錠の鍵穴内を広く拡大して視認することができる利点を有する。
【考案を実施するための最良の形態】
【００１２】
以下、本考案の一実施形態を図面に基づいて詳細に説明する。
【００１３】
図１乃至図３は請求項１及び請求項２の一実施形態に係るダブルサイドテンションを示し、図に於て、１は既製のＬＥＤライトで、該ＬＥＤライト１は、円筒状に形成されたケーシング３の前部にライトカバー５が着脱自在に取り付き、ケーシング３の後部に設けたＯＮ／ＯＦＦスイッチ７の操作でＬＥＤ９がＯＮ／ＯＦＦするようになっている。
【００１４】
図１に示すようにＬＥＤ９は、ケーシング３の前部に設けられた凹状の収納部１１内に装着され、その外周をリフレクタ１３が囲繞している。そして、ケーシング３の前部外周に設けた雄ネジ部１５に、図４の如く連結部１７の内周に雌ネジ部１９が設けられたライトカバー５が着脱自在に螺着されており、ケーシング３とライトカバー５は軽量なアルミ材で形成されている。
【００１５】
図４乃至図７に示すようにライトカバー５は、ケーシング３よりも大径な円筒状に形成され、その後部側にケーシング３の前部に連結する凹状の連結部１７が開口し、その奥部の内周に前記雌ネジ部１９が設けられている。
【００１６】
そして、ライトカバー５の中心軸に沿って２本の光ファイバー挿通孔２１が僅かな間隔を空けて水平に形成されると共に、これらと直交してライトカバー５の下部に１つのスリット２３がライトカバー５の前部からその略中間部に亘って設けられ、更に、該スリット２３と直交して２つのノックピン挿通孔２５がライトカバー５の左右方向に設けられている。そして、図１に示すように前記スリット２３に、左右対称な一対のテンション本体２７，２９が取り付けられている。
【００１７】
図８乃至図１０に示すようにテンション本体２７，２９は、ステンレスで形成された側面視略Ｌ字状をなし、その基部側の２箇所がスポット溶接されて一対のピンセット型に形成されている。そして、Ｌ字状に折曲されたテンション本体２７，２９の先端側に、光ファイバー取付孔３１が内側の斜め下方に向かって上下方向に形成されると共に、光ファイバー取付孔３１よりも更に先端側は、シリンダー錠（図１中、符号３３）の鍵穴（図示せず）に合わせたストレート部３５，３７となっている。そして、該ストレート部３５，３７は、作業時の視認性を考慮して先端側が順次肉薄となるように内側に傾斜部３９，４１が設けられている。
【００１８】
また、両ストレート部３５，３７の外周には、鍵穴固定用のスリット４３，４５が横方向に設けられており、前記ストレート部３５，３７の先端をシリンダー錠３３の鍵穴部分に挿入してシャッターを押し開けた後、図１の如く該スリット４３，４５にシリンダー錠３３の鍵穴の周縁部を係止させると、本実施形態に係るダブルサイドテンション４７の位置決めと抜け止めが図られるようになっている。
【００１９】
而して、このように構成されたピンセット型のテンション本体２７，２９は、図１に示すようにライトカバー３５に設けた前記スリット２３内にその基部側が挿入されて２本のノックピン（図示せず）で固定されており、テンション本体２７，２９の基部側には、ライトカバー５に設けたノックピン挿通孔２５に対応してノックピン挿通孔４９が設けられている。
【００２０】
そして、図１乃至図３に示すように、ライトカバー５の光ファイバー挿通孔２１からテンション本体２７，２９の光ファイバー取付孔３１に亘って、２本の光ファイバー５１が配線されている。
【００２１】
従来周知のように光ファイバー５１は、プラスチックで形成された細長い繊維状の物質で、中心部のコアとその周囲を覆うクラッドの二重構造となっている。そして、図１及び図３に示すように光ファイバー５１は、外周をゴムや合成樹脂で形成された収縮チューブ（被覆部材）５３で被覆されており、該収縮チューブ５３で被覆された２本の光ファイバー５１の一端側は、夫々、前記光ファイバー挿通孔２１を挿通してＬＥＤ９に対向配置されている。尚、図２は前記収縮チューブ５３を省略したダブルサイドテンション４７の平面図である。
【００２２】
そして、図１乃至図３に示すように光ファイバー５１は、夫々、両テンション本体２７，２９の上部に沿って光ファイバー取付孔３１へと配線されると共に、テンション本体２７，２９に取り付けた別途の収縮チューブ（固定部材）５５によってテンション本体２７，２９の上部に固定されている。そして、光ファイバー取付孔３１へと配線された光ファイバー５１の他端側は、テンション本体２７，２９の外周側から光ファイバー取付孔３１に沿って挿入されて、その外周が光ファイバー取付孔３１の周縁部に接着剤で固定されており、斯様に光ファイバー取付孔３１に沿って光ファイバー５１を挿入，固定することで、図３の如く光ファイバー５１を介して伝達されたＬＥＤ９の光が、テンション本体２７，２９の先端から距離Ｌの位置で焦点Ｐが合うようになっている。そして、該焦点Ｐは、使用の際に両テンション本体２７，２９の先端をすぼめるに従い、上方（図３中、矢印方向）へと移動する。尚、図２及び図３に於て、５７は光ファイバー挿通孔２１に挿通した光ファイバー５１（収縮チューブ５５）をライトカバー５に固定する接着剤である。
【００２３】
更に、図４，図５及び図７に示すように前記ライトカバー５には、光ファイバー挿通孔２１の上方に、断面円形状のルーペ取付孔５９が該光ファイバー挿通孔２１に沿って形成され、また、これに直交してライトカバー５の上部に、１つのネジ孔６１が該ルーペ取付孔５９に連通して設けられている。そして、図１に示すように前記ルーペ取付孔５９に、可撓性を有するシャフト６３を介してルーペ６５が取り付けられている。
【００２４】
前記シャフト６３として本実施形態は、今日、卓上マイクスタンドに広く使用されている金属製の軽量なフレキシブルシャフトを用いており、その一端が前記ルーペ取付孔５９内に挿入されて、ネジ孔６１にねじ込んだネジ（図示せず）でライトカバー５に固定されている。
【００２５】
一方、図１１乃至図１３に示すようにルーペ６５は、一例として円形状のフレーム６５ａとレンズ６５ｂがアクリル系のプラスチックで一体成形された成形品で、フレーム６５ａの外周に、ネジ孔６７が上下方向に開口する平面視台形形状の取付片６５ｃが突設されている。そして、該取付片６５ｃにルーペジョイント６９を介して前記シャフト６３が連結されている。
【００２６】
図１４乃至図１７はルーペジョイント６９の詳細を示し、図示するようにルーペジョイント６９は、前記取付片６５ｃが挿入可能な連結用凹部７１が一端側に形成された側面視コ字状の筒体からなり、該連結用凹部７１を形成する上下の突片６９ａ，６９ｂに、前記ネジ孔６７に対応してネジ孔７３が設けられている。また、ルーペジョイント６９の中心を、前記シャフト６３が挿入可能なシャフト取付孔７５が設けられており、該シャフト取付孔７５は前記連結用凹部７１に開口している。
【００２７】
そして、シャフト取付孔７５に直交してルーペジョイント６９の上部に１つのネジ孔７７が該シャフト取付孔７５に連通して設けられており、前記シャフト６３をシャフト取付孔７５内に挿入して、ネジ孔７７にねじ込んだネジ（図示せず）でルーペジョイント６９を固定すると共に、前記連結用凹部７１内に取付片６５ｃを挿入してこれらをネジ止めすることで、ルーペジョイント６９を介してシャフト６３の先端にルーペ６５が固着されている。
【００２８】
図２に示すようにルーペ６５（レンズ６５ｂ）は、前記ライトカバー５の径よりも大径に形成されている（例えば、ルーペレンズ外径Φ３０）。
【００２９】
即ち、ルーペ６５を覗き込む角度は人によって様々で、アイポイントは様々であるため、既述したように本実施形態は、ルーペ６５（レンズ６５ｂ）をライトカバー５よりも大径に形成すると共に、可撓性を有するシャフト６３を用いてルーペ６５をフレキシブルにしたもので、斯様にルーペ６５を大径にした結果、ある程度ダブルサイドテンション４７から離れても覗けるようになっている。
【００３０】
従って、例えばピックを用いてピッキングする際に、ルーペ６５とテンション本体２７，２９との間に広い空間を確保したいときには、図１８（ｃ）の如くシャフト６３を上方へ撓ませればよい。
【００３１】
そして、本実施形態は、図１及び図１８（ｂ）に示すように前記シャフト６３をライト１の中心線に沿ってストレート状に伸長させたとき、ルーペ６５のレンズ中心が前記テンション本体２７，２９の先端より前方に位置するように設定しており、このため、図１８（ｃ）の如くシャフト６３を上方へ撓ませた場合でも、余裕をもってルーペ６５をテンション本体２７，２９の上方へ確実に配置させることができるようになっている。
【００３２】
同様に、図１８（ａ）の如くシャフト６３を下方へ撓ませた場合でも、余裕をもってルーペ６５をテンション本体２７，２９の上方へ確実に配置させることができるようになっている。
【００３３】
また、倍率が高すぎても低すぎても見づらいことを考慮して、本実施形態はルーペ６５を５倍率に設定しており、ルーペ６５が図１８（ａ）〜（ｃ）の何れの位置にあっても、レンズ６５ｂを通してシリンダー錠３３の鍵穴内の手前側から奥へと、即ち、ピッキングする範囲が広く拡大して視認できるようになっている。
【００３４】
本実施形態に係るダブルサイドテンション４７はこのように構成されているから、このダブルサイドテンション４７を用いてシリンダー錠３３をピッキングするには、テンション本体２７，２９のストレート部３５，３７の先端をシリンダー錠３３の鍵穴部分に挿入してシャッターを押し開け、スリット４３，４５にシリンダー錠３３の鍵穴の周縁部を係止してダブルサイドテンション４７の位置決めと抜け止めを図った後、ＯＮ／ＯＦＦスイッチ７をＯＮ操作すればよい。
【００３５】
尚、斯様にテンション本体２７，２９の先端を鍵穴に挿入する際に、図１８（ａ）〜（ｃ）の何れかの状態にルーペ６５を配置させて、ルーペ６５を覗き込み乍らテンション本体２７，２９の先端を鍵穴に挿入させてもよいし、ルーペ６５が邪魔なときには、シャフト６３を曲げてルーペ６５を遠ざけておけばよい。
【００３６】
而して、斯様にＯＮ／ＯＦＦスイッチ７をＯＮ操作すると、ＬＥＤ９が点灯し、２本の光ファイバー５１を介して伝達されたＬＥＤ９の光がテンション本体２７，２９の先端から鍵穴内を照らすこととなる。そして、ダブルサイドテンション４７でシリンダーにテンションを掛け乍ら、鍵穴内にピックを差し込み、ルーペ６５を覗き込み乍らタンブラーを押し上げてシアラインを揃えればよく、この作業中、ダブルサイドテンション４７からの光が鍵穴内を照らしている。
【００３７】
そして、既述したようにピッキングする際に、例えばルーペ６５とテンション本体２７，２９との間に広い空間を確保したいときには、図１８（ｃ）の如くシャフト６３を上方へ撓ませておけばよく、ルーペ６５が図１８（ａ）〜（ｃ）の何れの位置にあっても、ＬＥＤ９の光で照らされた鍵穴内がレンズ６５ｂを通して広く拡大して視認できることとなる。
【００３８】
また、ルーペ６５が不要なときは、ライトカバー５からシャフト６３と共にルーペ６５を取り外しておけばよい。
【００３９】
このように本実施形態は、テンション本体２７，２９が取り付くライト１（ライトカバー５）に可撓性を有するシャフト６３を介してルーペ６５をフレキシブルに取り付け、ＬＥＤ９の光で照らされた鍵穴内をレンズ６５ｂを通して拡大して視認できるように構成したので、ダブルサイドテンション４７を持つ手で別途レンズ付きのスポークやライトを持つ必要がなくなり、従来に比し作業性が著しく向上することとなった。
【００４０】
而も、本実施形態は、ルーペ６５（レンズ６５ｂ）をライトカバー５よりも大径に形したので、ダブルサイドテンション４７から離れてもルーペ６５を覗くことができると共に、様々なアイポイントにも対応可能である。
【００４１】
更に、本実施形態は、図１８（ｂ）に示すようにシャフト６３をライト１の中心線に沿ってストレート状に伸長させたとき、ルーペ６５のレンズ中心が前記テンション本体２７，２９の先端より前方に位置するように設定したので、図１８（ｃ）の如くシャフト６３を上方へ撓ませた場合でも、また、図１８（ａ）の如くシャフト６３を下方へ撓ませた場合でも、余裕をもってルーペ６５をテンション本体２７，２９の上方へ確実に配置させることができ、ルーペ６５が図１８（ａ）〜（ｃ）の何れの位置にあっても、ＬＥＤ９の光で照らされた鍵穴内をレンズ６５ｂを通して広く視認できる利点を有する。
【００４２】
尚、本実施形態では既製のＬＥＤライト１を使用したが、その他周知のオリジナルライトを用いてもよい。
【図面の簡単な説明】
【００４３】
【図１】請求項１及び請求項２の一実施形態に係るダブルサイドテンションの要部切欠き側面図である。
【図２】ダブルサイドテンションの平面図である。
【図３】ダブルサイドテンションの正面図である。
【図４】ライトカバーの側面図である。
【図５】ライトカバーの正面図である。
【図６】ライトカバーの背面図である。
【図７】ライトカバーの断面図である。
【図８】テンション本体の側面図である。
【図９】テンション本体の正面図である。
【図１０】テンション本体の底面図である。
【図１１】シャフトが取り付くルーペの平面図である。
【図１２】ルーペの平面図である。
【図１３】ルーペの側面図である。
【図１４】ルーペジョイントの平面図である。
【図１５】ルーペジョイントの正面図である。
【図１６】ルーペジョイントの背面図である。
【図１７】ルーペジョイントの側面図である。
【図１８】ダブルサイドテンションの使用方法の説明図である。
【符号の説明】
【００４４】
１  ＬＥＤライト
３  ケーシング
５  ライトカバー
７  ＯＮ／ＯＦＦスイッチ
９  ＬＥＤ
１１  収納部
１３  リフレクタ
２１  光ファイバー挿通孔
２３  スリット
２７，２９  テンション本体
３１  光ファイバー取付孔
３３  シリンダー錠
４７  ダブルサイドテンション
５１  光ファイバー
５３，５５  収縮チューブ
５９  ルーペ取付孔
６３  シャフト
６５  ルーペ
６５ｂ  レンズ
６９  ルーペジョイント
【図１】
0003142787.tif 000003
【図２】
0003142787.tif 000004
【図３】
0003142787.tif 000005
【図４】
0003142787.tif 000006
【図５】
0003142787.tif 000007
【図６】
0003142787.tif 000008
【図７】
0003142787.tif 000009
【図８】
0003142787.tif 000010
【図９】
0003142787.tif 000011
【図１０】
0003142787.tif 000012
【図１１】
0003142787.tif 000013
【図１２】
0003142787.tif 000014
【図１３】
0003142787.tif 000015
【図１４】
0003142787.tif 000016
【図１５】
0003142787.tif 000017
【図１６】
0003142787.tif 000018
【図１７】
0003142787.tif 000019
【図１８】
0003142787.tif 000020